(57)【要約】      （修正有）【課題】液体をスムーズに効率よく吐出させることができ、スプリングの耐久性も向上するトリガー式蓄圧スプレーを提供する。【解決手段】シリンダ構造体３から押し出された液体が流通する縦流通部１ｃと、縦流通部１ｃに連結部１ｂで連結されている横流通部１ａと、ピストン５を前後方向に移動させるトリガー部６ｂと、を備え、連結部１ｂが、縦流通部１ｃの縦方向の流路及び横流通部１ａの横方向の流路を連結する斜め方向の流路を有しており、縦流通部１ｃ、連結部１ｂ及び横流通部１ａが一体となっており、シリンダ構造体３には、吸い上げ部１０からシリンダ構造体３内に液体が導入される流路を開閉する第１バルブ４が収容され、連結部１ｂには、連結部１ｂ内の流路を開閉する第２バルブ構造体２が取り付けられており、第２バルブ構造体２が、斜め上に向かって連結部１ｂの弁座１ｂ１に対して付勢されている。【選択図】図１
2015016422.tif 000002
【特許請求の範囲】
【請求項１】
容器に収容された液体を導入するための吸い上げ部と、
該吸い上げ部に連結され、前後方向に移動するピストンが収容されたシリンダ構造体と、
該シリンダ構造体から押し出された前記液体が流通する縦流通部と、
該縦流通部に連結部で連結されている横流通部と、
該横流通部の先端に取り付けられたノズルベース部と、
該ノズルベース部に取り付けられたノズル部と、
前記ピストンを前後方向に移動させる回動可能なトリガー部と、
該トリガー部を復元するためのバネ体と、
を備え、
前記連結部が、前記縦流通部の縦方向の流路及び前記横流通部の横方向の流路を連結する斜め方向の流路を有しており、
前記縦流通部、前記連結部及び前記横流通部が一体となっており、
前記シリンダ構造体には、前記吸い上げ部から該シリンダ構造体内に前記液体が導入される流路を開閉する第１バルブが収容され、
前記連結部には、該連結部内の流路を開閉する第２バルブ構造体が取り付けられており、
前記第２バルブ構造体が、斜め上に向かって前記連結部の弁座に対して付勢されているトリガー式蓄圧スプレー。
【請求項２】
前記ノズルベース部と前記トリガー部と前記バネ体とが一体となっている請求項１記載のトリガー式蓄圧スプレー。
【請求項３】
前記第２バルブ構造体が、第２バルブと、該第２バルブを付勢するスプリングとからなる請求項１又は２に記載のトリガー式蓄圧スプレー。
【請求項４】
前記スプリングが、板バネであり、側面視で蛇行状となっている請求項３記載のトリガー式蓄圧スプレー。
【請求項５】
キャップ部を更に備え、
前記シリンダ構造体が前記キャップ部に掛合されている請求項１〜４のいずれか１項に記載のトリガー式蓄圧スプレー。
【請求項６】
前記シリンダ構造体、前記縦流通部、前記横流通部、前記連結部及び前記ノズルベース部がカバー体によりカバーされている請求項１〜５のいずれか１項に記載のトリガー式蓄圧スプレー。
【発明の詳細な説明】
【技術分野】
【０００１】
本発明は、トリガー式蓄圧スプレーに関し、より詳しくは、液体をスムーズに効率よく吐出させることができ、スプリングの耐久性も向上するトリガー式蓄圧スプレーに関する。
【背景技術】
【０００２】
容器に収容された液体を所望の位置に吹き付ける装置として従来からトリガー式蓄圧スプレーが知られている。
かかるトリガー式蓄圧スプレーは、トリガーを回動することによって、内蔵されたポンプを加圧、減圧させ、その圧力変化を利用して液体を噴射させるものである。
【０００３】
例えば、空間に伸出する導管によって連結されるポンプと排出ノズルとの間に配置され、導管の口の上における台座に当接しており、連結を開閉可能な予備圧縮バルブを備え、該予備圧縮バルブが閉止位置に対してバネ手段によってバイアスされている予備圧縮システムが知られている（例えば、特許文献１参照）。
【先行技術文献】
【特許文献】
【０００４】
【特許文献１】特表２００２−５３１２６１号公報
【発明の概要】
【発明が解決しようとする課題】
【０００５】
しかしながら、上記特許文献１記載の予備圧縮システムにおいては、ピストン１１により押し出された液体が、チューブ２３内を上昇し、チューブ２３に連結された導管９に流れ込む際に、チューブ２３と導管９とが直角となっているので、液体が導管９の壁面に衝突することになる。
これにより、乱流が生じ、液体に付与されたエネルギーが消費され、導管９を流通する液体の流れの効率が低下する傾向にある。
また、バネ手段及び予備圧縮バルブが、導管と同軸上に設けられているので、バネ手段を十分に大きくするスペースがない。
例えば、板バネを使うと、板バネの軸線延長が十分にできない。
なお、板バネが十分に伸縮できるスペースを設けると、使用時に、その部分が邪魔になり、使い勝手が悪くなる欠点がある。
【０００６】
本発明は上記事情に鑑みてなされたものであり、液体をスムーズに効率よく吐出させることができ、スプリングの耐久性も向上するトリガー式蓄圧スプレーを提供することを目的とする。
【課題を解決するための手段】
【０００７】
本発明者は、上記課題を解決するため鋭意検討したところ、縦流通部の縦方向の流路及び横流通部の横方向の流路を連結する連結部の流路を、斜め方向とし、且つ、第２バルブ構造体を、斜め上に向かって連結部の弁座に対して付勢するようにすることで、上記課題を解決し得ることを見出し、本発明を完成するに至った。
【０００８】
本発明は、（１）容器に収容された液体を導入するための吸い上げ部と、該吸い上げ部に連結され、前後方向に移動するピストンが収容されたシリンダ構造体と、該シリンダ構造体から押し出された液体が流通する縦流通部と、該縦流通部に連結部で連結されている横流通部と、該横流通部の先端に取り付けられたノズルベース部と、該ノズルベース部に取り付けられたノズル部と、ピストンを前後方向に移動させる回動可能なトリガー部と、該トリガー部を復元するためのバネ体と、を備え、連結部が、縦流通部の縦方向の流路及び横流通部の横方向の流路を連結する斜め方向の流路を有しており、縦流通部、連結部及び横流通部が一体となっており、シリンダ構造体には、吸い上げ部から該シリンダ構造体内に液体が導入される流路を開閉する第１バルブが収容され、連結部には、該連結部内の流路を開閉する第２バルブ構造体が取り付けられており、第２バルブ構造体が、斜め上に向かって連結部の弁座に対して付勢されているトリガー式蓄圧スプレーに存する。
【０００９】
本発明は、（２）ノズルベース部とトリガー部とバネ体とが一体となっている上記（１）記載のトリガー式蓄圧スプレーに存する。
【００１０】
本発明は、（３）第２バルブ構造体が、第２バルブと、該第２バルブを付勢するスプリングとからなる上記（１）又は（２）に記載のトリガー式蓄圧スプレーに存する。
【００１１】
本発明は、（４）スプリングが、板バネであり、側面視で蛇行状となっている上記（３）記載のトリガー式蓄圧スプレーに存する。
【００１２】
本発明は、（５）キャップ部を更に備え、シリンダ構造体がキャップ部に掛合されている上記（１）〜（４）のいずれか１つに記載のトリガー式蓄圧スプレーに存する。
【００１３】
本発明は、（６）シリンダ構造体、縦流通部、横流通部、連結部及びノズルベース部がカバー体によりカバーされている上記（１）〜（５）のいずれか１つに記載のトリガー式蓄圧スプレーに存する。
【発明の効果】
【００１４】
本発明のトリガー式蓄圧スプレーにおいては、縦流通部の縦方向の流路及び横流通部の横方向の流路を連結する連結部の流路を、斜め方向とすることにより、ピストンにより押し出された液体が、縦流通部の流路を上昇し、横流通部の流路に流れ込む際に、必ず斜め方向に配置された連結部の流路を経由するので、液体が横流通部の壁に直接衝突しエネルギーが消費されることを抑制することができる。これにより、横流通部を流通する液体をスムーズに効率よく吐出させることができる。
また、連結部の弁座に対して付勢する第２バルブ構造体を、斜め上に向かって付勢するように配置することで、その第２バルブ構造体のスプリングの長さを大きくすることができる。
すなわち、横流通部の軸に対し、第２バルブ構造体を斜め下方向に配置することにより、トリガー式蓄圧スプレーの後頭部を後方に極端に突出させることなく、カバー体の手を引っ掛ける突出部内のスペースを利用できる。
これにより、長いスプリングは、トリガー部の回動に伴う伸縮の程度を小さくすることができるので、自ずとスプリングの耐久性が向上する。
因みに、後頭部を後方に大きく突出させるようにすると、トリガー式蓄圧スプレーの使用時において邪魔になり、取り扱い性が悪くなる。
【００１５】
本発明のトリガー式蓄圧スプレーにおいては、ノズルベース部とトリガー部とバネ体とが一体となっているので、部品点数を減らすことができ、全体の組み付けも容易となる。
また、ノズルベース部とトリガー部とが一体であるのでトリガー部の回動にガタ付きがない。
【００１６】
本発明のトリガー式蓄圧スプレーにおいては、第２バルブ構造体が、第２バルブと、該第２バルブを付勢するスプリングとからなるので、第２バルブとスプリングの間のガタ付きがなく、スプリングが、連結部の弁座に対して第２バルブを確実に付勢することができる。
このとき、スプリングが、板バネであり、側面視で蛇行状となっているので、一定のスペースであっても十分な付勢力を発揮することができる。
【００１７】
本発明のトリガー式蓄圧スプレーにおいては、シリンダ構造体が掛合されているキャップ部を備えるので、任意の容器に対し、容易に着脱することができる。
【００１８】
本発明のトリガー式蓄圧スプレーにおいては、シリンダ構造体、縦流通部、横流通部、連結部及びノズルベース部がカバー体によりカバーされているので、外からの衝撃に対し、内部を確実に保護することができる。
【図面の簡単な説明】
【００１９】
【図１】図１は、本発明に係るトリガー式蓄圧スプレーの一実施形態を示す断面図である。
【図２】図２の（ａ）は、本実施形態に係るトリガー式蓄圧スプレーにおいて用いられる第２バルブ構造体を示す斜視図であり、（ｂ）は、同第２バルブ構造体を示す正面図であり、（ｃ）は、同第２バルブ構造体を示す側面図である。
【図３】図３の（ａ）は、本実施形態に係るトリガー式蓄圧スプレーにおいて、一体となったノズルベース部、トリガー部及びバネ体を示す正面図であり、（ｂ）は、その側面図である。
【図４】図４は、本実施形態に係るトリガー式蓄圧スプレーを分解した状態を示す斜視図である。
【図５】図５は、本実施形態に係るトリガー式蓄圧スプレーのトリガー部を引いた状態を示す断面図である。
【発明を実施するための形態】
【００２０】
以下、必要に応じて図面を参照しつつ、本発明の好適な実施形態について詳細に説明する。
なお、図面中、同一要素には同一符号を付すこととし、重複する説明は省略する。
また、上下左右等の位置関係は、特に断らない限り、図面に示す位置関係に基づくものとする。
更に、図面の寸法比率は図示の比率に限られるものではない。
【００２１】
図１は、本発明に係るトリガー式蓄圧スプレーの一実施形態を示す断面図である。
図１に示すように、本実施形態に係るトリガー式蓄圧スプレーＡは、図示しない容器に収容された液体を導入するための吸い上げ部１０と、該吸い上げ部１０に連結され、前後方向に移動するピストン５が収容されたシリンダ構造体３と、該シリンダ構造体３から押し出された液体が流通する縦流通部１ｃと、該縦流通部１ｃに連結部１ｂで連結されている横流通部１ａと、該横流通部１ａの先端に取り付けられたノズルベース部６ａと、該ノズルベース部６ａに取り付けられたノズル部７と、ピストン５を前後方向に移動させる回動可能なトリガー部６ｂと、該トリガー部６ｂを復元するためのバネ体６ｃと、シリンダ構造体３が掛合されているキャップ部９と、を備える。
本実施形態に係るトリガー式蓄圧スプレーＡは、キャップ部９を介して、図示しない容器の口部に着脱可能となっている。
すなわち、トリガー式蓄圧スプレーは、キャップ部を介して、市販の容器に対して着脱可能となっている。
なお、該容器は、口部にトリガー式蓄圧スプレーのキャップ部が取り付け可能であれば、その形状を問わない。
【００２２】
トリガー式蓄圧スプレーＡにおいては、シリンダ構造体３、縦流通部１ｃ、横流通部１ａ、連結部１ｂ及びノズルベース部６ａがカバー体８によりカバーされている。
当該カバー体８においては、後頭部が後方に大きくは突出しておらず、後頭部（突出部８ａ）は下方斜め方向に下がっている。
【００２３】
吸い上げ部１０は、円筒状であり、容器内部の液体が吸い上げられるようになっている。
また、吸い上げ部１０は、先端がシリンダ構造体３に連結されており、吸い上げ部１０内を流通した液体が、シリンダ構造体３の流路を介して、シリンダ構造体３内に流入するようになっている。
なお、吸い上げ部１０は、シリンダ構造体３と一体になっていてもよい。
【００２４】
シリンダ構造体３は、内部空間を有するシリンダ部３ａと、該シリンダ部３ａに連続した、上述したキャップ部９に掛合される掛合部３ｂと、シリンダ部３ａの上面に設けられた後述する側枠体３ａ１、からなる。
シリンダ部３ａには上記流路が設けられており、液体は、吸い上げ部１０から流路を介して、シリンダ部３ａ内に流入し、シリンダ部３ａ内に蓄えられるようになっている。
ここで、シリンダ構造体３には、吸い上げ部１０から該シリンダ構造体３内に液体が導入される流路を開閉する第１バルブ４が収容されており、これにより、シリンダ部３ａ内に蓄えられた液体が逆流することを防止できる。
【００２５】
また、シリンダ部３ａには、内部を前後方向に移動するピストン５が収容されており、ピストン５の移動に基づいて、シリンダ構造体３に蓄えられた液体が加圧され、後述する縦流通部１ｃの流路に押し出されるようになっている。
なお、シリンダ部３ａには、連絡路Ｓ及び容器の外部に開放されている図示しない小路が設けられており、吸い上げ後の容器内の負圧を解消するようになっている。
【００２６】
縦流通部１ｃは、鉛直方向に延びる円筒状の管であり、縦流通部１ｃ内の流路をシリンダ構造体３から押し出された液体が流通するようになっている。
そして、縦流通部１ｃの上端には、連結部１ｂが設けられている。また、この連結部１ｂを介して、連結部１ｂの前側には、横流通部１ａが設けられている。
連結部１ｂは、斜め方向に延びる円筒状の管であり、連結部１ｂ内の流路Ｐを縦流通部１ｃの流路から押し出された液体が流通するようになっている。
横流通部１ａは、前後方向に延びる円筒状の管であり、横流通部１ａ内の流路を連結部１ｂの流路Ｐから押し出された液体が流通するようになっている。
【００２７】
ここで、連結部１ｂの流路Ｐが、斜め方向となっているので、縦流通部１ｃから流れ込んだ液体は、横流通部１ａの壁面に直接衝突することなく、まず連結部１ｂの流路Ｐに流れ込む。
そして、この流路Ｐに流れ込んだ液体は、次に、横流通部１ａの流路に流れ込む。
このように、連結部１ｂの流路Ｐを斜め方向に配置することにより、液体を乱流なく、スムーズ且つ効率よく流すことができる。
【００２８】
トリガー式蓄圧スプレーＡにおいて、縦流通部１ｃ、横流通部１ａ及び連結部１ｂは、一体となった第１部材１からなる。
すなわち、第１部材１は、射出成形により、一体として製造される。
このため、部品点数を減らすことができ、全体の組み付けも容易となる。
【００２９】
トリガー式蓄圧スプレーＡにおいて、連結部１ｂには、連結部１ｂ内の流路Ｐを開閉する第２バルブ構造体２が取り付けられている。
図２の（ａ）は、本実施形態に係るトリガー式蓄圧スプレーにおいて用いられる第２バルブ構造体を示す斜視図であり、（ｂ）は、同第２バルブ構造体を示す正面図であり、（ｃ）は、同第２バルブ構造体を示す側面図である。
図２の（ａ）、（ｂ）及び（ｃ）に示すように、第２バルブ構造体２は、第２バルブ２ａと、該第２バルブ２ａを付勢するスプリング２ｂとからなり、第２バルブ２ａとスプリング２ｂとが一体となった構造を有している。
【００３０】
ここで、第２バルブ構造体２において、スプリング２ｂは、詳しくは板バネよりなり、側面視で蛇行状となっている。このため、耐久性に優れ、一定のスペースであっても十分な付勢力を発揮することが可能となる。
【００３１】
図１に戻り、第２バルブ構造体２は、連結部１ｂの弁座１ｂ１に対して当接された状態で更に付勢するようになっている。
このとき、第２バルブ構造体２は、斜め上に向かって連結部１ｂ内の斜めに設けられた弁座１ｂ１を付勢するように配置されている。
具体的には、第２バルブ２ａが斜め上に向かって斜め方向に設けられた弁座１ｂ１に当接されており、スプリング２ｂが第２バルブ２ａを斜め上に向かって付勢している。
このため、トリガー式蓄圧スプレーＡの後頭部を大きく水平方向に突出させることなく、第２バルブ構造体２を突出部８ａ内のスペースに収めることができる。
これにより、スプリング２ｂを比較的長くすることができるので、トリガー部６ｂの回動の際、スプリング、すなわち蛇行状の板バネの伸縮の程度を小さくすることができる。その結果、スプリング２ｂの耐久性が向上する。
これに加え、トリガー式蓄圧スプレーＡの使用時においても、トリガー式蓄圧スプレーＡの後頭部が後方に突出していないので、邪魔にならず、人間工学的にも取り扱い性に優れるものとなる。
【００３２】
ノズルベース部６ａは、横流通部１ａの先端に取り付けられており、液体がこのノズルベース部６ａを流通することにより、液体は、真っ直ぐに吐出される。
また、ノズルベース部６ａは、先端にいわゆるスピンナーを備えている。
【００３３】
ノズルベース部６ａの先端には、ノズル部７が取り付けられている。
また、ノズル部７は、ノズルベース部６ａに対し、回動自在となっており、ノズル部７を回動させることにより、吐出口を封止したり、吐出される液体の形状を切り替えたりすることが可能である。
【００３４】
トリガー部６ｂは、ピストン５に連結されており、このトリガー部６ｂを回動させ、前後に移動させることにより、ピストン５もシリンダ構造体３内を前後に移動することになる。
また、トリガー部６ｂには、一端が連結部の外壁に固定されたバネ体６ｃの他端が取り付けられており、組み込まれた場合に、手前に引いた状態から、指を離すことにより、バネ体６ｃの復元力に基づいて、トリガー部６ｂが元の位置に戻るようになっている。
【００３５】
トリガー部６ｂは、上述したノズルベース部６ａ及びバネ体６ｃと一体となっている。
すなわち、ノズルベース部６ａ、トリガー部６ｂ及びバネ体６ｃは、一体となった第２部材６からなる。
図３の（ａ）は、本実施形態に係るトリガー式蓄圧スプレーにおいて、一体となったノズルベース部、トリガー部及びバネ体を示す正面図であり、図３の（ｂ）は、その側面図である。
図３の（ａ）及び図３の（ｂ）に示すように、トリガー部６ｂは、ノズルベース部６ａの側面に設けられたねじれ軸部Ｔを中心に回動可能となっている。
ここで、ねじれ軸部Ｔは、繰り返されるねじれ動作にも十分耐えることができるものであり、トリガー部６ｂの回動が常に的確に行われる。
【００３６】
図４は、本実施形態に係るトリガー式蓄圧スプレーを分解した状態を示す斜視図である。
図４に示すように、本実施形態に係るトリガー式蓄圧スプレーＡにおいては、ノズルベース部６ａ、トリガー部６ｂ及びバネ体６ｃが一体となっており、上述した、縦流通部１ｃ、横流通部１ａ及び連結部１ｂも一体となっている。
このため、トリガー部６ｂは、嵌め込み構造でないので、回動の際にもクリアランスが生じず、いわゆるガタが起きない。
また、全体の組み付けにおいては、部品点数が少ないので、容易に組み付けることができる。
【００３７】
ここで、上述したシリンダ構造体３は、シリンダ部３ａの上面に側枠体３ａ１が設けられている。
当該側枠体３ａ１には、第１部材１の横流通部１ａが嵌合されるようになっている。
第１部材１の横流通部１ａを側枠体３ａ１に嵌合するようにして組み付けることにより、横流通部１ａが横にずれることを確実に防止することができる。
【００３８】
次に、本実施形態に係るトリガー式蓄圧スプレーＡの作用について説明する。
図５は、本実施形態に係るトリガー式蓄圧スプレーのトリガー部を引いた状態を示す断面図である。
図５に示すように、本実施形態に係るトリガー式蓄圧スプレーＡにおいては、トリガー部６ｂを手前に引くことにより、ピストン５が後方に移動する。
そうすると、シリンダ構造体３内の液体がピストン５により押圧され、縦流通部１ｃ内の流路に流出される。
【００３９】
このとき、連結部１ｂにおいては、第２バルブ構造体２が連結部１ｂ内の流路を閉じるように付勢されている。
この状態において、縦流通部１ｃ内や連結部１ｂ内の流路の液体が、所定圧になると、第２バルブ構造体２の第２バルブ２ａは開かれることになる。
第２バルブ２ａは開かれると、横流通部１ａ内の流路に流れ込み、更にノズルベース部６ａ内の流路及びノズル部７を流通して吐出されることになる。
そして、一定量の液体が吐出されると、連結部１ｂ内の流路に流入した液体の圧力が低下し、これにより、液体の圧力よりも第２バルブ構造体２の付勢力のほうが大きくなるので、トリガー部６ｂの位置に関わらず、第２バルブ構造体２が連結部１ｂ内の流路を閉鎖することになる。
【００４０】
一方で、トリガー部６ｂは、バネ体６ｃの復元力により、元の位置に戻ると、トリガー部６ｂと連結されたピストン５も前方に移動する。
そうすると、シリンダ構造体３内が負圧になるので、第１バルブ４が開き、容器内の液体が吸い上げ部１０を介して、シリンダ構造体３内に流入されることになる。
【００４１】
トリガー式蓄圧スプレーＡにおいては、このような操作が繰り返されることにより、一定量の液体が、ノズル口から繰り返して噴射されることになる。
また、上述したように、液体が横流通部１ａの壁に衝突しエネルギーが消費されることを抑制できるので、横流通部１ａを流通する液体をスムーズに効率よく吐出させることができる。
【００４２】
以上、本発明の好適な実施形態について説明したが、本発明は上記実施形態に限定されるものではない。
【００４３】
例えば、本実施形態に係るトリガー式蓄圧スプレーＡにおいては、シリンダ構造体３、縦流通部１ｃ、横流通部１ａ、連結部１ｂ及びノズルベース部６ａがカバー体８によりカバーされているが、カバー体８によりカバーされる対象は、これらに限定されない。
【００４４】
本実施形態に係るトリガー式蓄圧スプレーＡにおいては、掛合部３ｂの形状はキャップに対する取り付けが可能であれば変更が自由である。
【００４５】
本実施形態に係るトリガー式蓄圧スプレーＡにおいては、ノズルベース部６ａ、トリガー部６ｂ及びバネ体６ｃが一体となっているが別体とすることも可能ある。
【産業上の利用可能性】
【００４６】
本発明のトリガー式蓄圧スプレーは、トリガーを引くことにより、容器内の液を噴射する装置として好適に用いられる。
本発明のトリガー式蓄圧スプレーによれば、液体をスムーズに効率よく吐出させることができ、スプリングの耐久性も向上させることができる。
【符号の説明】
【００４７】
１・・・第１部材
１ａ・・・横流通部
１ｂ・・・連結部
１ｂ１・・・弁座
１ｃ・・・縦流通部
２・・・第２バルブ構造体
２ａ・・・第２バルブ
２ｂ・・・スプリング
３・・・シリンダ構造体
３ａ・・・シリンダ部
３ａ１・・・側枠体
３ｂ・・・掛合部
４・・・第１バルブ
５・・・ピストン
６・・・第２部材
６ａ・・・ノズルベース部
６ｂ・・・トリガー部
６ｃ・・・バネ体
７・・・ノズル部
８・・・カバー体
８ａ・・・突出部
９・・・キャップ部
１０・・・吸い上げ部
Ａ・・・トリガー式蓄圧スプレー
Ｐ・・流路
Ｔ・・・ねじれ軸部
Ｓ・・・連絡路
【図１】
2015016422.tif 000003
【図２】
2015016422.tif 000004
【図３】
2015016422.tif 000005
【図４】
2015016422.tif 000006
【図５】
2015016422.tif 000007